(57)【要約】【課題】パッドの中間のモノフィラメントが分布する通気空間によって、放熱、温度下降効果があり、さらに、透明で布質面の導電フィラメントを織り込める等の多数の効果を持つ織り製造による側面通気性を持つ壁板構造を提供する。【解決手段】本考案の織り製造による側面通気性を持つ壁板構造は、プラスチック押出あるいは密集処理によって形成された各種硬質板材に取って代わり、表面、底面から鈎針編みによって織られた布質面からなる、中間が極めて多数の密集分布した直列状のしっかりしたモノフィラメントからなる、厚みのあるパッドで、ゲル状の樹脂剤（吸音剤あるいは耐燃剤あるいは充填剤等）を、板部分の布質表面に塗布処理することで、組織の隙間内に注入充填し、乾いた後、屋根や壁面の内層に張り付けて使用する硬板を提供するものである。【選択図】図1
0003109978.tif 000002
【実用新案登録請求の範囲】
【請求項１】
表面、底面が鈎針編みによって織られた布質面で、中間が極めて多数の密集分布した直列状のしっかりしたモノフィラメントからなる、厚みのあるパッドで、布質面及びモノフィラメントは、適度に折り曲げられ、隙間充填用のゲル状樹脂剤によって、布質面の表面を塗布処理して、脂剤が組織の隙間内に注入充填され、乾いた後、組織の隙間が充填されて、布質面が硬度の高い板になるという特性があるため、横にして屋根に置くことも、縦にして壁面に施工することも可能で、カーブ面にもまっすぐな壁面にも使用することができるという特長を持つ、織り製造による側面通気性を持つ壁板構造。
【請求項２】
樹脂剤が板の布質面に塗布処理されて通気性がなくなると、それぞれのモノフィラメント間に分布する通気空間が全面的に通じて、最も外側のパッド側面に設置された気流を出し入れする装置と共に、パッド内側の気流の流通させて、外に向かって導き、放出することにより、熱気流は連続して排出あるいは吸出されて、パッド外側の布質面及び内層布質面の温度を下げ、屋外の温度を徐々に下げて涼しく、心地よくするという効果がある、請求項１に記載の織り製造による側面通気性を持つ壁板構造。
【請求項３】
パッドの布質面が鉤針編みによって部分的に光を通して、透明のモノフィラメント及び屋根外層板、あるいは、壁面外層板及び、表面に塗布する樹脂剤が透光性を持つか、あるいは、透明性のある材質にすることにより、室内空間が暗くなるという状況を避けることが可能であり、昼間の照明使用の度合いが低く済み、エネルギーの節約に貢献することができるという特長を持つ、請求孕1に記載の織り製造による側面通気性を持つ壁板構造。
【請求項４】
パッドの布質面の鉤針編みの織りの過程において、同時に導電フィラメントを織り込み、全体的、部分的に分布させ、互いに通じるように織ることで、どの導電フィラメントの端あるいは中間にでも、避雷針及びの末端と接続することが可能で、全体的に漏電リード線のネットワークを分布させることにより、電撃時の瞬間的な高圧電圧を分散して保護する効果がある、請求項１に記載の織り製造による側面通気性を持つ壁板構造。
【考案の詳細な説明】
【技術分野】
【０００１】
本考案は織り製造による側面通気性を持つ壁板構造に関する。本考案の織り製造による側面通気性を持つ壁板構造は、プラスチック押出あるいは密集処理によって形成された各種硬質板材に取って代わり、表面、底面から鈎針編みによって織られた布質面からなる、中間が極めて多数の密集分布した直列状のしっかりしたモノフィラメントからなる、厚みのあるパッドで、ゲル状の樹脂剤（吸音剤あるいは耐燃剤あるいは充填剤等）を、板部分の布質表面に塗布処理することで、組織の隙間内に注入充填し、乾いた後、屋根や壁面の内層に張り付けて使用する硬板を提供するものである。パッドの中間のモノフィラメントが分布する通気空間によって、放熱、温度下降効果があり、さらに、透明で布質面の導電フィラメントを織り込める等の多数の効果を持つ。
【背景技術】
【０００２】
一般に室内空間において、従来のタイル壁、コンクリート、スチール板等の基本材によって施工されるほか、断熱、防火、吸音、あるいは美観等の理由からプラスチック押出成型（あるいはその他の断熱、吸音、防火材料を混合）による連続式板材、あるいは、密集、プレス処理（あるいはその他の断熱、吸音、防火材料を混合）よる単一板材を追加している。その構造は硬く、カーブ面を施工する必要がある場合、うまく施工できないという問題があるほか、透明でないため、屋根に使用した時、室内空間が暗くなり（例えば、体育館あるいは大型ホール等）、昼間でも照明が必要となりエネルギーの無駄につながる。
【０００３】
従来の基材は、主に材料あるいは混合材料の蓄熱しにくいという本質を利用して、熱気の排出を行なうか、材料間に故意に隙間を空けて、熱気を流動させて「受動的な」放熱、温度下降効果を作り出している。しかしながら、この構造の放熱性は実際上かなり制限がある。特に、蒸し暑く、風のない高温環境下においては、戸外の温度も高く、屋内の高温が外に放出されて、調節するのは難しい。さらに、大量の電力を消費してクーラーによって直接温度を下げる必要が生じる。これは、不経済であり、環境保護の観念から毛理想的ではない。
【考案の開示】
【考案が解決しようとする課題】
【０００４】
本考案は、上記従来の問題点を解決することができる織り製造による側面通気性を持つ壁板構造を提供することを課題とする。
【課題を解決するための手段】
【０００５】
本考案の織り製造による側面通気性を持つ壁板構造は、プラスチック押出あるいは密集処理によって形成された各種硬質板材に取って代わり、表面、底面から鉤針編みによって織られた布質面で、中間が極めて多数の密集分布した直列状のしっかりしたモノフィラメントからなる、厚みのあるパッドで、ゲル状の樹脂剤（吸音剤あるいは耐燃剤あるいは充填剤等）を、板部分の布質表面に塗布処理することで、組織の隙間内に注入充填し、乾いた後、横にして屋根に置いたり、縦にして壁面の内層に張り付けて使用する硬板を提供することができる。パッドの中間のモノフィラメントが分布する通気空間によって、放熱、温度下降効果があり、さらに、透明で布質面の導電フィラメントを織り込める等の多数の効果を持つ。
【０００６】
さらに、表面、底面の両面の布質面が、ゲル状の樹脂剤（例えば、吸音剤あるいは耐熱剤あるいは隙間充填剤）を、板部分の布質表面に塗布処理することで、組織の隙間内に注入充填し、乾いた後、組織の隙間が充填されて硬度の高い板になるという特徴があるため、布質組織を直線にも、曲線にもでき、横にして屋根に置くことも縦にして壁面に施工することも可能で、精巧且つ便利に内装することができる。布質面の鈎針編みの織り構造の中間に密集分布した直列状のしっかりした、透明のモノフィラメントからなるパッドが部分的に光を通し、屋根に使用した時に室内が暗くなるといった状況を少なくし、照明の使用を少なくして、エネルギーの節約を可能にするという特長を持つ。
【０００７】
また、パッドの表面、底面の両面の布質面が、部分的に導電フィラメントを織り込み、全体的に分布して、相互につらなるように織られているため、避雷針及びアースを全体的に設置するリード線を分布させることができ、建築物の安全性を高めるという実用的効果を持つ。
【考案の効果】
【０００８】
本考案の織り製造による側面通気性を持つ壁板構造は、表面、底面から鈎針編みによって織られた布質面で、中間が極めて多数の密集分布した直列状のしっかりしたモノフィラメントからなる、厚みのあるパッドで、屋根や壁面の内層に張り付けて使用する硬板を提供するものである。パッドの中間のモノフィラメントが分布する通気空間によって、側面において気流の出入りが可能で、その内側にたまった熱気を外に排出し、放熱するという通り道があり、「能動的な」放熱ができるため、室内の温度を効果的に下げる効果がある。
【０００９】
さらに、本考案の織り製造による側面通気性を持つ壁板構造は、表面、底面の両面の布質面が、ゲル状の樹脂剤（例えば、吸音剤あるいは耐熱剤あるいは隙間充填剤）を、板部分の布質表面に塗布処理することで、組織の隙間内に注入充填し、乾いた後、組織の隙間が充填されて硬度の高い板になるという特徴があるため、布質組織を直線にも、曲線にもでき、横にして屋根に置くことも縦にして壁面に施工することも可能で、精巧且つ便利に内装することができる。
【００１０】
布質面の鈎針編みの織り構造の中間に密集分布した直列状のしっかりした、透明のモノフィラメントからなるパッドが部分的に光を通し、屋根に使用した時に室内が暗くなるといった状況を少なくし、照明の使用を少なくして、エネルギーの節約を可能にするという特長を持つ。
【００１１】
また、本考案の織り製造による側面通気性を持つ壁板構造は、パッドの表面、底面の両面の布質面が、部分的に導電フィラメントを織り込み、全体的に分布して、相互につらなるように織られている。したがって、避雷針及びアースを全体的に設置するためのリード線を分布させることができ、建築物の安全性を高めるという実用的効果を持つ。
【考案を実施するための最良の形態】
【００１２】
図1、図1Aを参照いただきたい。本考案の織り製造による側面通気性を持つ壁板は、表面、底面が鈎針編みによって織られた布質面21,22で、中間
が極めて多数の密集分布した直列状のしっかりしたモノフィラメント23からなる、厚みのあるパッド2である。布質面21,22及びモノフィラメント23は、適度に折り曲げられる特性を持つ。したがって、横にしてアーチ型の屋根G（図2、図2Aを参照いただきたい）や、まっすぐな屋根に用いたり、縦にして壁面Pの内層に張り付けたりして、力一ブ面にもまっすぐな壁面にも使用することができる。パッドの中間の直列状分布する一つ一つのモノフィラメント23が互いに密集しているので、全体に分布した通気空間23Aが、布質面21,22の内側にたまった熱気流Hを集めて外に向かって導き、放出する目に見えない通り道となる。
【００１３】
ゲル状の樹脂剤S（例えば、吸昔材、あるいは耐熱剤あるいは隙間充填剤）を板部分の布質面21,22表層に塗布処理することで、樹脂剤Sが組織の隙間内に注入充填され、乾いた後、組織の隙間が充填されて、布質面21,22が硬度の高い板になるという特性があるため、横にして屋根Gに置くことも、縦にして壁面Pに施工することも可能で、精巧且つ便利に内装することができる（図2、図2Aを参照いただきたい）。
【００１４】
引き続き、図2、図2Aを参照いただきたい。室内が暑苦しい原因は、主に、屋根G外層板G1あるいは壁面Pの外層板P1が、戸外の高温によってパッド2外層布質面21の温度が上昇したり、室内に集中し、上昇した温度が内層布質面21,22に影響して温度が上昇したりして、通気空間23A内側にたまった気流Hが上昇して熱気流となるからである。
【００１５】
この時、パッド2の表面、底面の両面が通気性がなくなると、それぞれのモノフィラメント23間に分布する通気空間23Aが全面的に通じて、最も外側のパッド2側面に設置された気流を出し入れする装置3(例：排気扇)と共に、パッド2内側の気流Hの流通させて、外に向かって導き、放出する（図2A、図2Bを参照いただきたい）。
したがって、熱気流Hは連続して排出あるいは吸出されて、パッド2外側の布質面21及び内層布質面22の温度を下げ、屋外の温度を徐々に下げて涼しく、心地よくするという効果がある。
【００１６】
さらに、パッド2は、布質面21,22の鉤針編みの織りの過程において、同時に中間密集して分布する直列状のしっかりした透明のモノフィラメント23を織り込んでいる。布質面21,22が部分的に光を通し、透明のモノフィラメント23及び屋根G外層板G1（例えば、サンルームの透明の屋根）、あるいは、壁面P外層板P1と組み合わせたり、表面に塗布する樹脂剤Sが透光性を持つか、あるいは、透明性のある材質ならば、室内空間が暗くなるという状況も避けることが可能であり、昼間の照明使用の度合いが低く済み、エネルギーの節約に貢献することができる。
【００１７】
さらに、パッド2は布質面21,22の鉤針編みの織りの過程において、同時に導電フィラメント21A,22Aを織り込み、全体的、部分的に分布させ、互いに通じるように織ることで、どの導電フィラメント21A,22Aの端あるいは中間にでも、避雷針Ｔ１及びアースＴ２の末端と接続することが可能である。あるいは、複数の避雷針Ｔ１及びアースＴ２を組み合わせて、全体的に漏電リード線のネットワークを分布させることにより、電撃時の瞬間的な高圧電圧を分散して保護する効果がある（図1、図2を参照いただきたい）。したがって、大型の建築物の安全性を高めることができる。
【００１８】
図3、図3Aを参照いただきたい。また、本考案のパッド2の使用は、布質面21,22組織がスピーカーLから発せられる音波L1を密に吸収し、後部のフィラメント23が構成する緩衝空間が、音波を受けて、壁面に垂直に衝突して、不協和音を発生させるのを避け、すぐれた消音効果を発揮する。さらに、部分的にパッド2を取り付けて、独立した面の隅の消音板とし、壁面あるいは隅に張ること毛可能である。消音壁板、消音板として使用する時、背面に樹脂剤Sを塗布することで形がしっかりとして、取り付けがしやすくなる。
【図面の簡単な説明】
【００１９】
【図１】本考案のパッドの説明図である。
【図１Ａ】本考案のパッドを多数集めた実施例の立体図である。
【図１Ｂ】本考案の実施例の表面に樹脂を塗布した立体図である。
【図２】本考案の実施例の立体組立図である。
【図２Ａ】本考案の実施例の温度下降作用を示した説明図である。
【図２Ｂ】図2Aの部分拡大図である。
【図３】本考案の実施例の消音板の作用説明図である。
【図３Ａ】図3の配置説明図である。
【符号の説明】
【００２０】
2  パッド
21,22  布質面
21A,22A  導電フィラメント
23  モノフィラメント
23A  通気空間
G  屋根
G1  屋根板
P  壁面
P1  壁板
3  気流を出し入れする装置
H  熱気流
S  樹脂剤
T1  避雷針
T2  アース
L  スピー力一
L1  音波
【図１】
0003109978.tif 000003
【図１Ａ】
0003109978.tif 000004
【図１Ｂ】
0003109978.tif 000005
【図２】
0003109978.tif 000006
【図２Ａ】
0003109978.tif 000007
【図２Ｂ】
0003109978.tif 000008
【図３】
0003109978.tif 000009
【図３Ａ】
0003109978.tif 000010